(57)【要約】      （修正有）【課題】多様な変位及び按摩の態様を有する左右移動可能な按摩装置を提供する。【解決手段】変位案内ブロック１１が左右方向に沿って延びるように設けられる第１の外ケース１０と、その底部が摺動案内溝を有し、摺動案内溝が左右方向に沿って延びるように設けられる第１の内ケース２０と、第１の内ケース２０に固定され、駆動ねじ軸を有する駆動モータ３０と、メイン動かしギヤを含み、第１の内ケースに枢着され、駆動モータに駆動されて回転可能であり、メイン動かしギヤ５４の底部に案内柱が偏心するように設けられる左右動かしギヤユニット５０と、第１の内ケース２０に合せられる第２の内ケース７０と、第１の外ケース１０に合せられ、第２の内ケース７０の位置に対応する貫通孔を有する第２の外ケース８０と、貫通孔を挿通して外部に突出する按摩ヘッド９５を有し、第２の内ケース７０に設けられる按摩部材９０と、を含む。【選択図】図１
0003176335.tif 000002
【実用新案登録請求の範囲】
【請求項１】
変位案内ブロックを有し、前記変位案内ブロックが左右方向に沿って延びるように設けられ、前記左右方向に垂直する方向を垂直方向と定義し、その上では、前記垂直方向に沿って延びる方向規制溝が設けられる第１の外ケースと、
その底部が摺動案内溝を有し、前記摺動案内溝が前記左右方向に沿って延びるように設けられ、前記摺動案内溝に前記第１の外ケースの前記変位案内ブロックが嵌め設けられる第１の内ケースと、
前記第１の内ケースに固定され、駆動ねじ軸を有する駆動モータと、
メイン動かしギヤを含み、前記第１の内ケースに枢着され、前記駆動モータに駆動されて回転可能であり、前記メイン動かしギヤの底部に案内柱が偏心するように設けられ、前記案内柱は、前記第１の内ケースを挿通して外部に突出して、前記方向規制溝に収容される左右動かしギヤユニットと、
前記第１の内ケースに合せられる第２の内ケースと、
前記第１の外ケースに合せられ、前記第２の内ケースの位置に対応する貫通孔を有する第２の外ケースと、
前記貫通孔を挿通して外部に突出する按摩ヘッドを有し、前記第２の内ケースに設けられる按摩部材と、
を含むことを特徴とする左右移動可能な按摩装置。
【請求項２】
前記駆動モータの両端に駆動ねじ軸がそれぞれ設けられ、各前記駆動ねじ軸が前記左右方向に沿って延びることを特徴とする、請求項１に記載の左右移動可能な按摩装置。
【請求項３】
前記駆動ねじ軸と前記左右動かしギヤユニットとの間には、更に、駆動ギヤユニットが設けられ、前記駆動ギヤユニットは中間駆動ギヤを含み、前記中間駆動ギヤは、前記第１の内ケースに枢着され、前記駆動モータに駆動されて回転し、前記左右動かしギヤユニットと噛合うことを特徴とする、請求項１に記載の左右移動可能な按摩装置。
【請求項４】
前記駆動ギヤユニットは、更に、駆動一層目ギヤと、駆動二層目ギヤと、を含み、前記駆動一層目ギヤと前記駆動二層目ギヤとは、同心に重ねるように設けられ、その歯数が異なり、前記駆動一層目ギヤが前記駆動モータの前記駆動ねじ軸と噛合い、前記駆動二層目ギヤが前記中間駆動ギヤと噛合うことを特徴とする、請求項３に記載の左右移動可能な按摩装置。
【請求項５】
前記左右動かしギヤユニットは、更に、動かし一層目ギヤと、動かし二層目ギヤと、を含み、前記動かし一層目ギヤと前記動かし二層目ギヤとは、同心に重ねるように設けられ、前記動かし一層目ギヤが前記中間駆動ギヤと噛合い、前記動かし二層目ギヤが前記メイン動かしギヤと噛合うことを特徴とする、請求項３に記載の左右移動可能な按摩装置。
【請求項６】
前記動かし二層目ギヤには、更に、一方向軸受が嵌め設けられることを特徴とする、請求項５に記載の左右移動可能な按摩装置。
【請求項７】
更に、叩きユニットを含み、前記中間駆動ギヤは複数の斜め歯面を有し、前記叩きユニットは、回転止め軸と、押付ディスクと、を含み、前記回転止め軸と前記中間駆動ギヤとは、前記第１の内ケースに同心に設けられ、前記押付ディスクは、その底面が複数の斜め歯部を有し、前記回転止め軸に嵌合され、前記押付ディスクの前記斜め歯部が前記中間駆動ギヤの前記斜め歯面に寄られており、前記第２の内ケースには、更に、二つの貫通孔が設けられ、二つの前記貫通孔は、それぞれ各前記押付ディスクの位置に対応し、前記按摩部材が前記押付ディスクに組み付けられることを特徴とする、請求項３に記載の左右移動可能な按摩装置。
【請求項８】
前記按摩部材は、更に、揺動ロッドと、連結ブロックと、を含み、前記揺動ロッドの一端の内部に前記連結ブロックが組み付けられており、前記連結ブロックが前記押付ディスクの偏心位置に結合され、各前記按摩ヘッドが前記揺動ロッドの両端に設けられることを特徴とする、請求項７に記載の左右移動可能な按摩装置。
【請求項９】
前記按摩部材は、更に、ストローク規制嵌めブロックを含み、前記第２の内ケースにピンが二つ設けられ、前記揺動ロッドの他端の内部に前記ストローク規制嵌めブロックが組み付けられており、前記ストローク規制嵌めブロックは、前記第２の内ケースの前記ピンを覆うように前記ピンと嵌合することを特徴とする、請求項８に記載の左右移動可能な按摩装置。
【請求項１０】
前記按摩部材の各前記按摩ヘッドと前記揺動ロッドとの間には、発光回路板がそれぞれ設けられることを特徴とする、請求項８に記載の左右移動可能な按摩装置。
【考案の詳細な説明】
【技術分野】
【０００１】
本考案は、左右移動可能な按摩装置に関し、特に、按摩装置の変位構造に関するものである。
【背景技術】
【０００２】
按摩装置は、色々あるが、全てが国民の生活及び仕事によるストレスを解消するためのものである。一般的な按摩装置は、按摩ヘッドによりユーザを按摩する。按摩ヘッドの作動方式は、回転、押圧及び上下動が一般的であり、しかし、このような作動方式は全てのユーザを満足できない。一般的な按摩装置の按摩ヘッドの変位構造は、レールに合せて使用し、按摩ヘッドが案内具に直接に設けられ、駆動源により按摩ヘッドが回転され、按摩ヘッドの案内具がレールをスライドするため、按摩ヘッドがレールに沿って変位する。このため、按摩ヘッドが変位しながら回転するが、このような構成によれば、按摩ヘッドの按摩と変位との動作が規制される。
【考案の概要】
【考案が解決しようとする課題】
【０００３】
本考案の主な目的は、従来の按摩装置より、更に多様な変位及び按摩の態様を有する左右移動可能な按摩装置を提供することにある。
【課題を解決するための手段】
【０００４】
本考案の左右移動可能な按摩装置によると、変位案内ブロックを有し、変位案内ブロックが左右方向に沿って延びるように設けられ、左右方向に垂直する方向を垂直方向と定義し、その上では、垂直方向に沿って延びる方向規制溝が設けられる第１の外ケースと、
その底部が摺動案内溝を有し、摺動案内溝が左右方向に沿って延びるように設けられ、摺動案内溝に第１の外ケースの変位案内ブロックが嵌め設けられる第１の内ケースと、
第１の内ケースに固定され、駆動ねじ軸を有する駆動モータと、
メイン動かしギヤを含み、第１の内ケースに枢着され、駆動モータに駆動されて回転可能であり、メイン動かしギヤの底部に案内柱が偏心するように設けられ、案内柱は、第１の内ケースを挿通して外部に突出して、方向規制溝に収容される左右動かしギヤユニットと、
第１の内ケースに合せられる第２の内ケースと、
第１の外ケースに合せられ、第２の内ケースの位置に対応する貫通孔を有する第２の外ケースと、
貫通孔を挿通して外部に突出する按摩ヘッドを有し、第２の内ケースに設けられる按摩部材と、
を含むことを特徴とする。
【０００５】
本考案の左右移動可能な按摩装置によると、駆動モータの両端に駆動ねじ軸がそれぞれ設けられ、各駆動ねじ軸が左右方向に沿って延びることを特徴とする。
【０００６】
本考案の左右移動可能な按摩装置によると、駆動ねじ軸と左右動かしギヤユニットとの間には、更に、駆動ギヤユニットが設けられ、駆動ギヤユニットは中間駆動ギヤを含み、中間駆動ギヤは、第１の内ケースに枢着され、駆動モータに駆動されて回転し、左右動かしギヤユニットと噛合うことを特徴とする。
【０００７】
本考案の左右移動可能な按摩装置によると、駆動ギヤユニットは、更に、駆動一層目ギヤと、駆動二層目ギヤと、を含み、駆動一層目ギヤと駆動二層目ギヤとは、同心に重ねるように設けられ、その歯数が異なり、駆動一層目ギヤが駆動モータの駆動ねじ軸と噛合い、駆動二層目ギヤが中間駆動ギヤと噛合うことを特徴とする。
【０００８】
本考案の左右移動可能な按摩装置によると、左右動かしギヤユニットは、更に、動かし一層目ギヤと、動かし二層目ギヤと、を含み、動かし一層目ギヤと動かし二層目ギヤとは、同心に重ねるように設けられ、動かし一層目ギヤが中間駆動ギヤと噛合い、動かし二層目ギヤがメイン動かしギヤと噛合うことを特徴とする。
【０００９】
本考案の左右移動可能な按摩装置によると、動かし二層目ギヤには、更に、一方向軸受が嵌め設けられることを特徴とする。
【００１０】
本考案の左右移動可能な按摩装置によると、更に、叩きユニットを含み、中間駆動ギヤは複数の斜め歯面を有し、叩きユニットは、回転止め軸と、押付ディスクと、を含み、回転止め軸と中間駆動ギヤとは、第１の内ケースに同心に設けられ、押付ディスクは、その底面が複数の斜め歯部を有し、回転止め軸に嵌合され、押付ディスクの斜め歯部が中間駆動ギヤの斜め歯面に寄られており、第２の内ケースには、更に、二つの貫通孔が設けられ、二つの貫通孔は、それぞれ各押付ディスクの位置に対応し、按摩部材が押付ディスクに組み付けられることを特徴とする。
【００１１】
本考案の左右移動可能な按摩装置によると、按摩部材は、更に、揺動ロッドと、連結ブロックと、を含み、揺動ロッドの一端の内部に連結ブロックが組み付けられており、連結ブロックが押付ディスクの偏心位置に結合され、各按摩ヘッドが揺動ロッドの両端に設けられることを特徴とする。
【００１２】
本考案の左右移動可能な按摩装置によると、按摩部材は、更に、ストローク規制嵌めブロックを含み、第２の内ケースにピンが二つ設けられ、揺動ロッドの他端の内部にストローク規制嵌めブロックが組み付けられており、ストローク規制嵌めブロックは、第２の内ケースのピンを覆うようにピンと嵌合することを特徴とする。
【００１３】
本考案の左右移動可能な按摩装置によると、按摩部材の各按摩ヘッドと揺動ロッドとの間には、発光回路板がそれぞれ設けられることを特徴とする。
【考案の効果】
【００１４】
本考案の左右移動可能な按摩装置によれば、従来の按摩装置より、更に多様な変位及び按摩の態様を有するという効果がある。
【図面の簡単な説明】
【００１５】
【図１】本考案の一実施例を示す分解斜視図である。
【図２】本考案の一実施例の一部の組合済み状態を示す斜視図である。
【図３】本考案の一実施例の別の一部の組合済み状態を示す斜視図である。
【図４】本考案の一実施例の一部の組合済み状態を示す破断斜視図である。
【図５】本考案の一実施例の別の一部の組合済み状態を示す破断斜視図である。
【図６】本考案の一実施例の更に別の一部の組合済み状態を示す破断斜視図である。
【考案を実施するための形態】
【００１６】
以下、本考案の実施の形態を図面に基づいて説明する。
【実施例】
【００１７】
まず、図１乃至図６を参照する。本考案の一実施例の左右移動可能な按摩装置は、第１の外ケース１０と、第１の内ケース２０と、駆動モータ３０と、二つの駆動ギヤユニット４０と、左右動かしギヤユニット５０と、叩きユニット６０と、第２の内ケース７０と、第２の外ケース８０と、二つの按摩部材９０と、を含む。
【００１８】
第１の外ケース１０は、二つの変位案内ブロック１１を有する。各変位案内ブロック１１は左右方向Ｘに沿って延びるように設けられる。左右方向Ｘに垂直する方向を垂直方向Ｙと定義する。第１の外ケース１０の上では、垂直方向Ｙに沿って延びる方向規制溝１２が設けられる。
【００１９】
第１の内ケース２０の底部は二つの摺動案内溝２１を有する。各摺動案内溝２１は左右方向Ｘに沿って延びるように設けられる。摺動案内溝２１に第１の外ケース１０の変位案内ブロック１１が嵌め設けられる。このように、第１の内ケース２０は左右方向Ｘに沿って変位できる。
【００２０】
駆動モータ３０は、第１の内ケース２０に固定され、その両端に駆動ねじ軸３１がそれぞれ設けられる。各駆動ねじ軸３１は左右方向Ｘに沿って延びる。
【００２１】
二つの駆動ギヤユニット４０は、駆動一層目ギヤ４１と、駆動二層目ギヤ４２と、中間駆動ギヤ４３と、をそれぞれ含む。各ギヤ４１，４２，４３は第１の内ケース２０に枢着される。駆動一層目ギヤ４１と駆動二層目ギヤ４２とは、同心に重ねるように設けられ、その歯数が異なる。駆動一層目ギヤ４１は駆動モータ３０の駆動ねじ軸３１と噛合う。駆動二層目ギヤ４２は中間駆動ギヤ４３と噛合う。中間駆動ギヤ４３は複数の斜め歯面４３１を有する。
【００２２】
左右動かしギヤユニット５０は、駆動ギヤユニット４０のうちの一つと噛合い、動かし一層目ギヤ５１と、一方向軸受５２と、動かし二層目ギヤ５３と、メイン動かしギヤ５４と、を含む。各ギヤ５１，５２，５３，５４は第１の内ケース２０に枢着される。動かし一層目ギヤ５１は中間駆動ギヤ４３と噛合う。動かし二層目ギヤ５３に一方向軸受５２が嵌め設けられる。動かし一層目ギヤ５１と動かし二層目ギヤ５３とは、同心に重ねるように設けられる。動かし二層目ギヤ５３はメイン動かしギヤ５４と噛合う。メイン動かしギヤ５４の底部に案内柱５４１が偏心するように設けられる。メイン動かしギヤ５４の案内柱５４１は、第１の内ケース２０を挿通して外部に突出して、第１の外ケース１０の方向規制溝１２に収容される。
【００２３】
叩きユニット６０は、回転止め軸６１と、押付ディスク６２と、を含む。回転止め軸６１と中間駆動ギヤ４３とは、第１の内ケース２０に同心に設けられる。押付ディスク６２は、その底面が複数の斜め歯部６２１を有し、回転止め軸６１に嵌合される。押付ディスク６２の斜め歯部６２１は中間駆動ギヤ４３の斜め歯面４３１に寄られている。
【００２４】
第２の内ケース７０は第１の内ケース２０に合せられる。第２の内ケース７０には、更に、二つの貫通孔７１が設けられる。二つの貫通孔７１は、それぞれ各叩きユニット６０の押付ディスク６２の位置に対応する。第２の内ケース７０に二つのピン７２が設けられる。
【００２５】
第２の外ケース８０は、第１の外ケース１０に合せられ、第２の内ケース７０の位置に対応する貫通孔８１を有する。
【００２６】
二つの按摩部材９０は、揺動ロッド９１と、連結ブロック９２と、ストローク規制嵌めブロック９３と、二つの発光回路板９４と、二つの按摩ヘッド９５と、をそれぞれ含む。
【００２７】
揺動ロッド９１の両端の内部には、連結ブロック９２と、ストローク規制嵌めブロック９３と、がそれぞれ組み付けられている。連結ブロック９２は押付ディスク６２の偏心位置に結合される。ストローク規制嵌めブロック９３は、第２の内ケース７０のピン７２を覆うようにピン７２と嵌合する。
【００２８】
二つの発光回路板９４は、揺動ロッド９１の両端にそれぞれ設けられる。
【００２９】
二つの按摩ヘッド９５は、それぞれ二つの発光回路板９４を覆う。
【００３０】
次に、本考案の一実施例の左右移動可能な按摩装置の使用状態を説明する。まず、駆動モータ３０を起動して、駆動モータ３０の両端にある駆動ねじ軸３１により、駆動ねじ軸３１と噛合う駆動ギヤユニット４０の駆動一層目ギヤ４１が駆動されて回転して、駆動二層目ギヤ４２が駆動一層目ギヤ４１と同期に回転して、駆動二層目ギヤ４２と噛合う中間駆動ギヤ４３が回転して、中間駆動ギヤ４３と噛合う動かし一層目ギヤ５１が回転して、動かし二層目ギヤ５３が動かし一層目ギヤ５１と同期に回転し、これにより、動かし二層目ギヤ５３と噛合うメイン動かしギヤ５４が回転するようになる。
【００３１】
メイン動かしギヤ５４が回転しているときには、メイン動かしギヤ５４は、案内柱５４１が第１の外ケース１０の方向規制溝１２に収容され、且つ第１の内ケース２０に固定されるため、回転することだけが可能であり、第１の内ケース２０は、第１の外ケース１０の方向規制溝１２に規制されるため、左右に摺動することだけが可能である。これにより、メイン動かしギヤ５４が回転しているときには、第１の内ケース２０が左右方向Ｘに沿って変位し、且つメイン動かしギヤ５４の案内柱５４１が垂直方向Ｙに沿って変位する。このように、メイン動かしギヤ５４が回転しているときには、第１の内ケース２０が左右方向Ｘに沿って変位する。
【００３２】
駆動モータ３０により左右動かしギヤユニット５０が駆動されているときに、斜め歯面４３１と斜め歯部６２１とは、一方向に回転する場合に駆動され、前記方向の逆方向に回転する場合に空回る。中間駆動ギヤ４３が回転し、且つ斜め歯面４３１が斜め歯部６２１から離脱する状態では、中間駆動ギヤ４３の回転により、中間駆動ギヤ４３の斜め歯面４３１が叩きユニット６０の押付ディスク６２の斜め歯部６２１に対して相対的に回転する。中間駆動ギヤ４３が持続に回転すると、中間駆動ギヤ４３の斜め歯面４３１と押付ディスク６２の斜め歯部６２１とは、徐々に互いに分離して合せるという動作が繰り返す。これにより、押付ディスク６２を上下に往復動することができると共に、押付ディスク６２に固定される按摩部材９０を上下に往復動することもできる。このように、按摩部材９０はユーザを持続に叩くことができ、按摩効果を得ることができる。
【００３３】
駆動モータ３０が逆方向に回転しているときには、中間駆動ギヤ４３が斜め歯部６２１と噛合うため、押付ディスク６２が駆動されて回転する。このとき、押付ディスク６２に固定される按摩部材９０の揺動ロッド９１の一端は、押付ディスク６２の回転に従って、押付ディスク６２と同期に作動し、揺動ロッド９１の他端は、中間駆動ギヤ７０にあるピン７２とストローク規制嵌めブロック９３との規制により揺動するようになる。このように、揺動している按摩部材９０はユーザを按摩できる。
【００３４】
一方、各按摩ヘッド９０内に発光回路板９４が設けられるため、発光回路板９４により、光影の効果を得ることができ、そして発光回路板９４からの熱により、ユーザの局部を暖めることができる。
【００３５】
このように、駆動モータ３０が持続に稼動しているときには、第１の内ケース２０により、第１の内ケース２０に組み付けられる全ての部材が左右方向Ｘに沿って移動し、按摩部材９０により、叩き按摩、又は往復的な揺動による按摩をユーザに加えることができる。従来の按摩装置より、更に多様な変位及び按摩の態様を有する。
【００３６】
一方、本考案は、一つのモータと複数のギヤとの組合により、上記の全ての動作を達成でき、構造が極めて簡潔である。そして本考案のギヤを二層に配置するという方式により、按摩装置全体の体積を減少できる。
【産業上の利用可能性】
【００３７】
本考案は、按摩装置に適用することができる。
【符号の説明】
【００３８】
１０：第１の外ケース
１１：変位案内ブロック
１２：方向規制溝
２０：第１の内ケース
２１：摺動案内溝
３０：駆動モータ
３１：駆動ねじ軸
４０：駆動ギヤユニット
４１：駆動一層目ギヤ
４２：駆動二層目ギヤ
４３：中間駆動ギヤ
５０：左右動かしギヤユニット
５１：動かし一層目ギヤ
５２：一方向軸受
５３：動かし二層目ギヤ
５４：メイン動かしギヤ
６０：叩きユニット
６１：回転止め軸
６２：押付ディスク
７０：第２の内ケース
７１：貫通孔
７２：ピン
８０：第２の外ケース
８１：貫通孔
９０：按摩部材
９１：揺動ロッド
９２：連結ブロック
９３：ストローク規制嵌めブロック
９４：発光回路板
９５：按摩ヘッド
４３１：斜め歯面
５４１：案内柱
６２１：斜め歯部
Ｘ：左右方向
Ｙ：垂直方向
【図１】
0003176335.tif 000003
【図２】
0003176335.tif 000004
【図３】
0003176335.tif 000005
【図４】
0003176335.tif 000006
【図５】
0003176335.tif 000007
【図６】
0003176335.tif 000008